(57)【特許請求の範囲】
【請求項１】
操作部の操作により、筒芯内に差し込まれてペーパーロールを両側から回動自在に支持する一対の心棒を、この筒芯の内外に移動させ、使用済みペーパーロールを下方に排出するとともに、収納された予備のペーパーロールを使用できる状態に保持するトイレットペーパーホルダにおいて、
左右両側に一対のカム部が形成され、操作部の操作により、左右に延びる中心線回りに回動するとともに、上記カム部間に、上記操作部の操作による回動によって、下方に落とし込まれた予備のペーパーロールを心棒側にて仮保持する下方位置と、この心棒側にあるペーパーロールの下方への排出の障害とならない上方位置とに往復動する予備ロール支持部が形成されているペーパーガイドを備えるとともに、
中間部が回動自在に支持される上記心棒の一端側従動部に、上記ペーパーガイドの上記カム部に形成されたカムに係合し、他端側に形成されたペーパーロールの支持部を、上記予備ロール支持部の上記上方位置と上記下方位置への移動に伴って、ペーパーロールの筒芯の内外に移動させるカム面を形成し、
さらに、上記ペーパーガイドの上記予備ロール支持部が上記上方位置から上記下方位置に移動する場合に、ペーパーロール側に加圧されるペーパーカッターのカット部を、上記ペーパーロール側から引き離す離間機構を備えていることを特徴とするトイレットペーパーホルダ。
【請求項２】
前記上方位置にある前記予備ロール支持部が、前記予備のペーパーロールの収納台を兼ねていることを特徴とする請求項１記載のトイレットペーパーホルダ。
【請求項３】
操作部の操作により、筒芯内に差し込まれてペーパーロールを両側から回動自在に支持する一対の心棒を、この筒芯の内外に移動させ、使用済みペーパーロールを下方に排出するとともに、収納された予備のペーパーロールを使用できる状態に保持するトイレットペーパーホルダにおいて、
左右両側に一対のカム部が形成され、操作部の操作により、左右に延びる中心線回りに回動するペーパーガイドを備えるとともに、
中間部が回動自在に支持される上記心棒の一端側従動部に、上記ペーパーガイドの上記カム部に形成されたカムに係合し、他端側に形成されたペーパーロールの支持部を、上記ペーパーガイドの回動に伴って、ペーパーロールの筒芯の内外に移動させるカム面を形成し、
さらに、上記ペーパーガイドの下端部に、このペーパーガイドの回動に伴ない前方に移動して、使用済みのペーパーロールを受け取る筒芯受けを取り付けていることを特徴とするトイレットペーパーホルダ。
【請求項４】
前記ペーパーガイドの前記カムが、前記心棒の回動方向側に、前記従動部を挟み込むように形成されていることを特徴とする請求項１又は３記載のトイレットペーパーホルダ。
【発明の詳細な説明】
【０００１】
【発明の属する技術分野】
この発明は、レバー等の操作により、筒芯内に差し込まれてペーパーロールを回動自在に支持する一対の心棒を、この筒芯の内外に移動させ、使用済みペーパーロールを下方に排出するとともに、収納された予備のペーパーロールを使用できる状態に保持するトイレットペーパーホルダに関するものである。
【０００２】
【従来の技術】
図２７ないし図２９は、レバーの操作により、使用済のペーパーロール（例えば筒芯）の排出と、内部に収納された予備のペーパーロールの使用可状態へのセットとが同時にできる半自動式の従来のトイレットペーパーホルダ（実開平５ー５１１９３）を示している。
【０００３】
このトイレットペーパーホルダでは、図２７で示されるように、ホルダ本体５００の両側に、上下動可能なリンク棒５２０によって回動される心棒５１０が取り付けられているとともに、ホルダ本体５００の上部に、予備のペーパーロールＲを支持する収納台５３０が回動自在に取り付けられている。そして、心棒５１０には、一端側にペーパーロールＲの筒芯Ｒ１内に差し込まれる支持部５１１が形成され、他端側にペーパーロールＲを仮置きする爪部５１２が形成されている。なお、図２９で示されるように、心棒５１０は、両側に形成された円弧状のガイド溝５１３中に、ホルダ本体５００側の支持突起５０１，５０２が嵌まり込むことにより、このホルダ本体５００に支持されている。
【０００４】
したがって、このトイレットペーパーホルダでは、図２８で示されるように、レバー５４０を下方に押し下げることにより、リンク棒５２０が下降して、心棒５１０の支持部５１１がホルダ本体５００の内方から外方に移動し、この支持部５１１に支持されていた空の筒芯Ｒ１が下方に落下されて排出されるとともに、心棒５１０の爪部５１２側がホルダ本体５００内に突き出す。また、これと同時に、支持台５３０が回動して、これに支持された予備のペーパーロールＲが下方へ落下し、心棒５１０の爪部５１２上に支持される。
【０００５】
つぎに、レバー５４０から手を離し、例えば、バネ力によってこのレバー５４０を当初の位置に復帰させると、心棒５１０の支持部５１１が再びホルダ本体５００内に突き出すとともに、爪部５１２がホルダ本体５００の外方に移動するため、爪部５１２によって支持されていた予備のペーパーロールＲが、この心棒５１０によって回動自在に支持される。この場合、収納台５３０も予備のペーパーロールＲを支持できる位置に復帰する。
【０００６】
【発明が解決しようとする課題】
しかしながら、上記従来のトイレットペーパーホルダでは、リンク棒５２０を上下動させることにより、ホルダ本体５００の支持突起５０１，５０２を心棒５１０のガイド溝５１３中に移動させて、この心棒５１０を円弧状に回動（移動）させているため、心棒５１０が滑らかな動きをせず、この心棒５１０の回動に大きな力を要してしまうという問題があった。
【０００７】
したがって、レバー５４０を引き戻すバネ部材にも、大きなバネ力を有するものを使用する必要があり、このため、レバー５４０を押し下げるには、バネ部材を引き伸す力とリンク棒５２０を押し下げる力とを加える必要があり、このレバー５４０の操作に大きな力を加える必要があった。
【０００８】
この発明は、以上の点に鑑み、操作部の操作によって、心棒の支持部をペーパーロールの筒芯の内外に移動させる場合に、操作部に加える力を充分に軽減することができるトイレットペーパーホルダを提供することを目的とする。
【０００９】
【課題を解決するための手段】
この発明の請求項１記載の発明は、操作部の操作により、筒芯内に差し込まれてペーパーロールを両側から回動自在に支持する一対の心棒を、この筒芯の内外に移動させ、使用済みペーパーロールを下方に排出するとともに、収納された予備のペーパーロールを使用できる状態に保持するトイレットペーパーホルダにおいて、左右両側に一対のカム部が形成され、操作部の操作により、左右に延びる中心線回りに回動するとともに、カム部間に、操作部の操作による回動によって、下方に落とし込まれた予備のペーパーロールを心棒側にて仮保持する下方位置と、この心棒側にあるペーパーロールの下方への排出の障害とならない上方位置とに往復動する予備ロール支持部が形成されているペーパーガイドを備えるとともに、中間部が回動自在に支持される心棒の一端側従動部に、ペーパーガイドのカム部に形成されたカムに係合し、他端側に形成されたペーパーロールの支持部を、予備ロール支持部の上方位置と下方位置への移動に伴って、ペーパーロールの筒芯の内外に移動させるカム面を形成し、さらに、ペーパーガイドの予備ロール支持部が上方位置から下方位置に移動する場合に、ペーパーロール側に加圧されるペーパーカッターのカット部を、ペーパーロール側から引き離す離間機構を備えていることである。
【００１０】
この発明では、操作部の操作により、ペーパーガイドが回動し、このペーパーガイドのカムが心棒の従動部側のカム面に係合しつつ移動する。このことにより、心棒が滑らかに回動し、この心棒の支持部がペーパーロールの筒芯の内方や外方に移動する。一方、ペーパーガイドの予備ロール支持部は、操作部の操作前には、心棒側にあるペーパーロールの下方への排出の障害とならない上方位置にあるが、操作部の最初の操作によって、下方位置に移動し、上方から落とし込まれてくる予備のペーパーロールを心棒側で仮保持する。この場合、僅かな時間差で、心棒の支持部は、筒芯の外方に移動しており、使用済みのペーパーロールは下方に排出されている。そして、操作部の次の操作によって、予備のペーパーロールの筒芯内に心棒の支持部が移動し、この心棒によって、予備のペーパーロールが回動自在に支持されるとともに、予備ロール支持部が上方位置に移動する。
【００１１】
また、この発明では、ペーパーガイドの予備ロール支持部が下方位置に移動する場合に、離間機構により、ペーパーカッターのカット部を心棒側のペーパーロールから引き離すようにしているため、予備用ペーパーロールの心棒側への落下にペーパーカッターが障害となることはない。したがって、ペーパーカッターのカット部を比較的大きな力でペーパーロール側に加圧しても不都合は生じない。
【００１２】
この発明の請求項２記載の発明は、請求項１記載の発明の場合において、上方位置にある予備ロール支持部が、予備のペーパーロールの収納台となっていることである。
【００１３】
この発明では、予備ロール支持部の下方位置への移動によって、この予備ロール支持部によって収納支持されている予備のペーパーロールを心棒側に簡単に落とし込むことができる。
【００１４】
この発明の請求項３記載の発明は、操作部の操作により、筒芯内に差し込まれてペーパーロールを両側から回動自在に支持する一対の心棒を、この筒芯の内外に移動させ、使用済みペーパーロールを下方に排出するとともに、収納された予備のペーパーロールを使用できる状態に保持するトイレットペーパーホルダにおいて、左右両側に一対のカム部が形成され、操作部の操作により、左右に延びる中心線回りに回動するペーパーガイドを備えるとともに、中間部が回動自在に支持される心棒の一端側従動部に、ペーパーガイドのカム部に形成されたカムに係合し、他端側に形成されたペーパーロールの支持部を、ペーパーガイドの回動に伴って、ペーパーロールの筒芯の内外に移動させるカム面を形成し、さらに、ペーパーガイドの下端部に、このペーパーガイドの回動に伴ない前方に移動して、使用済みのペーパーロールを受け取る筒芯受けを取り付けていることである。
【００１５】
この発明では、操作部の操作により、ペーパーガイドが回動し、このペーパーガイドのカムが心棒の従動部側のカム面に係合しつつ移動する。このことにより、心棒が滑らかに回動し、この心棒の支持部がペーパーロールの筒芯外方に移動して、使用済のペーパーロールが下方に排出されるとともに、この支持部が予備のペーパーロールの筒芯内に移動して、このペーパーロールを回動自在に支持する。また、この発明では、ペーパーガイドが回動して、使用済のペーパーロール（筒芯）が下方に排出されると、筒芯受けも前方に移動して、この使用済のペーパーロール（筒芯）をキャッチする。したがって、この発明では、使用済のペーパーロール（筒芯）をキャッチする必要がない場合、すなわち、操作部を操作する前には、筒芯受けを後方の邪魔にならない位置に位置決めしておくことができる。
【００１６】
この発明の請求項４記載の発明は、請求項１又は３記載の発明の場合において、ペーパーガイドのカムが、心棒の回動方向側に、従動部を挟み込むように形成されていることである。
【００１７】
この発明では、例えば、心棒が支持部を上下方向に移動させるように回動される場合に、ペーパーガイドのカムは心棒の従動部を上下に挟み付けるように形成されているため、このカムの上部側によって、心棒の支持部は確実に上方に移動し、このカムの下部側によって、心棒の支持部は確実に下方に移動する。
【００１８】
【発明の実施の形態】
以下、この発明の実施の形態を図面を参照しつつ説明する。
図１はこの発明の一実施の形態に係るトイレットペーパーホルダの外観斜視図、図２及び図３はケーシング等を取り外した場合の、このトイレットペーパーホルダの内部の外観斜視図、図４はこのトイレットペーパーホルダの断面図、図５は図２の状態からペーパーカッターやスライダー等を取り外した場合の、このトイレットペーパーホルダの内部の外観斜視図である。
【００１９】
このトイレットペーパーホルダ１は、図１及び図２で示されるように、ホルダ本体２と、ケーシング３と、開閉蓋４と、一対の心棒５（図４参照）と、ペーパーガイド６と、一対の押え蓋７と、ペーパーカッター８と、カッターバネ９（図３参照）と、スライダー１０と、スライダバネ１１と、筒芯受け１２と、レバーキャップ１３と、第１ロックバー１４と、第２ロックバー１５と、第１ロックバネ１６（図５参照）と、第２ロックバネ１７と、固定ビス１８Ａ，１８Ｂ，１８Ｃ等とから構成されている。なお、上記構成部品は、バネとビスを除いて、樹脂材によって一体的に形成されているものとする。
【００２０】
ところで、第１及び第２ロックバー１４，１５と、第１及び第２ロックバネ１６，１７等からロック機構が構成されるが、以下、ロック機構を除いたこのトイレットペーパーホルダ１の主要部について説明する。
【００２１】
ホルダ本体２は、図６で示されるように、後壁部２０の左右両側に、略同形状の左側壁部２１と右側壁部２２とが前方に突出するように形成されている。後壁部２０は、左及び右側壁部２１，２２の外方がやや前方に突出した後蓋部２０ａになっているとともに、左及び右側壁部２１，２２の内側上部もやや前方に突出するように形成され、ここに、凹状のケーシング３用嵌込部２０ｂが形成されている。また、この後壁部２０には、トイレットペーパーホルダ１の壁面側への取付孔２０ｃやケーシング３用の支持孔２０ｄが形成されている。
【００２２】
左及び右側壁部２１，２２には、図６で示されるように、前端側中程に、外面側を突出させ、内面側を窪ませた段部２１ａ，２２ａが対向するように形成されている。そして、この段部２１ａ，２２ａには、左及び右側壁部２１，２２の前端面側に、ペーパーカッター８案内用の切欠部２１ｂ，２２ｂが対向するように形成されているとともに、上部側に、ペーパーカッター８の支持孔２１ｃ，２２ｃが対向するように形成されている。また、左及び右側壁部２１，２２の下部側には、心棒５を出し入れするための開口２１ｄ，２２ｄが形成されており、この開口２１ｄ，２２ｄを囲むように、左及び右側壁部２１，２２の外面側には、心棒５の支持部２３が形成されている。この支持部２３は、円筒部２３ａの内側に、開口２１ｄの両縁に沿って、切欠部２３ｂを有した支持板部が設けられたものである。この支持部２３近傍の対向した位置には、内ねじが形成された一対の支持突起２４ａ，２４ｂが形成されている。
【００２３】
右側壁部２２の外面側には、段部２２ａの上下端部にかかるように、突状２５ａを有した一対のガイドレール２５が上下方向に一直線状に形成されているとともに、第１及び第２ロックバー１４，１５支持用の台座部２６ａ，２６ｂと、３つのバネ受２７ａ，２７ｂ，２７ｃが形成されている。また、右側壁部２２には、段部２２ａの位置に、第１ロック孔２２ｅが形成されているとともに、上縁部側に、上端が一部開放された第２ロック孔２２ｆが形成されている。さらに、左及び右側壁部２１，２２の下部側後部には、後壁部２０の後蓋部２０ａ側から、左及び右側壁部２１，２２の内面側に向かって、ペーパーガイド６嵌め込み用の開口２８が形成されている。この場合、左及び右側壁部２１，２２の後端はペーパーガイド６の移動の障害にならないように、円弧状に形成されている。なお、図３で示されるように、左側壁部２１の外面にも、バネ受２７ｄが形成されている。
【００２４】
ケーシング３は、後部側を除いて、ホルダ本体２の外方を覆う湾曲した薄板状のものであり、図７で示されるように、ケーシング本体３０の前面側上部から上面側にかけて、入口開口３０ａが形成され、前面側下部から下面側にかけて出口開口３０ｂが形成されている。ケーシング本体３０の後端の上部側には、後部側を連結するように、断面Ｌ形の支持部３１が水平に形成されており、後端の下部側には、固定用の爪部３２が形成されている。なお、ケーシング本体３０には、前面側に、上下に長いレバー用細孔３０ｃが形成され、支持部３１の両端側に、開閉蓋４支持用の凹部３０ｄが形成されている。
【００２５】
開閉蓋４は断面が略Ｌ字形に形成されたものであり、ケーシング３の入口開口３０ａを開閉自在に覆うものである。この開閉蓋４の後端には、ケーシング３の凹部３０ｄに嵌め込まれる支持突起４０が左右に突出するように形成されている。また、この開閉蓋４には、右側端側にホルダ本体２の第２ロック孔２２ｆの位置に突起４１が形成されている。
【００２６】
ここで、ケーシング３と、開閉蓋４とをホルダ本体２に取り付けるには、支持突起４０を凹部３０ｄに嵌め込み、ケーシング３に開閉蓋４をセットした状態で、図４で示されるように、ケーシング３の支持部３１をホルダ本体２の嵌込部２０ｂに嵌め込むとともに、ケーシング３の爪部３２（図７参照）をホルダ本体２の支持孔２０ｄ（図５参照）に差し込めばよい。そして、ケーシング本体３０の側壁側と、ホルダ本体２の左及び右側壁部２１，２２、及び後蓋部２０ａとで、動作部材の設置空間Ｖ１（図６参照）が形成されるとともに、ケーシング本体３０の前壁側とホルダ本体２の後壁部２０及び左及び右側壁部２１，２２とで、ペーパーロールＲの収納使用空間Ｖ２，Ｖ３（図４参照）が形成される。
【００２７】
心棒５は、ペーパーロールＲの筒芯Ｒ１内に左右両側から差し込まれ、このペーパーロールＲを回動自在に支持するものである。この心棒５は、左右一対のものがホルダ本体２の支持部２３に回動自在に取り付けられるが、例えば、図８及び図９で示される右側の心棒５について説明し、この心棒５と左右対称に形成される左側の心棒５については、その説明を省略する。
【００２８】
心棒５には、図８で示されるように、一端側に、ペーパーロールＲの支持部５０が形成され、他端側にカム面Ｓ１，Ｓ２を有した従動部５１が形成されているとともに、中間部両側にホルダ本体２の切欠部２３ｂに嵌め込まれる支持突起５２が形成されている。支持部５０は、心棒５がホルダ本体２に取り付けられて、支持突起５２を中心に回動した場合に、水平状態から垂直状態まで略９０度だけ上下に移動する。この場合、支持部５０は、心棒５が水平状態にある場合に、ホルダ本体２の開口２２ｄからホルダ本体２内方に最も大きく突出するが、心棒５が垂直状態にある場合には、ホルダ本体２の開口２２ｄ内に没する。
【００２９】
従動部５１は、図８で示されるように、支持部５０より一段低く形成されており、前壁部５１ａと右壁部５１ｂとの上端側に端部が球面となった円柱部５１ｃが形成されたものである。前壁部５１ａの下端側は、湾曲して支持突起５２側に近付くように延びていて、この下端面が第１カム面Ｓ１となっている。そして、円柱部５１ｃの上面から、右壁部５１ｂの端部外面までが、第２カム面Ｓ２となっている。
【００３０】
ペーパーガイド６は、図１１で示されるように、予備のペーパーロールＲの収納台となる予備ロール支持部６０の左右両側に、前方に９０度だけ屈曲した状態で肩部６１が形成され、この肩部６１の前端側に、カム部６２が対称な形状で互いに対向するように形成されている。予備ロール支持部６０は、ペーパーロールＲよりやや曲率半径の大きい約１／４の円筒板から形成されており、上端側はカム部６２の中程上方まで達しており、下端側はカム部６２の下端と略同一レベルに形成されていて、下端側に筒芯受け１２の支持部６０ａが形成されている。
【００３１】
カム部６２には、板状部６２ａの外面側に、円筒部６２ｂが形成され、この円筒部６２ｂ内に形成された開口Ｋ１の縁部に沿って、第１カム６２ｃと第２カム６２ｄとが形成されている。第１カム６２ｃは、板状になって外方に延びており、下面側が心棒５の第２カム面Ｓ２に当接し、第２カム６２ｄは、薄い板状部の前端面側が心棒５の第１カム面Ｓ１に当接する。そして、円筒部６２ｂ内には、第１カム６２ｃ上方に、押え蓋７用の第１円孤孔Ｋ２が形成されており、円筒部６２ｂ外の肩部６１寄りの板状部６２ａにも、支持突起２４ｂ用の第２円弧孔Ｋ３が形成されている。また、第２円弧孔Ｋ３に対向した板状部６２ａの前端面側には、支持突起２４ａ用の凹状部Ｋ４が形成されている。なお、右側のカム部６２の板状部６２ａ外面には、内ねじを有する支持突起６２ｅが形成されている。
【００３２】
このペーパーガイド６をホルダ本体２に組み付けるには、肩部６１をホルダ本体２の開口２８に差し込み、予備ロール支持部６０を左及び右側壁部２１，２２内方に位置決めするとともに、ホルダ本体２の支持部２３外方に、カム部６２を当接させればよい。この場合、ホルダ本体２の支持部２３には、心棒５を支持させておき、ホルダ本体２の支持突起２４ａ，２４ｂを、それぞれ、カム部６２の凹状部Ｋ４と第１円孤孔Ｋ２との中に位置決めする。このことにより、心棒５の従動部５１は、カム部６２の第１カム６２ｃと第２カム６２ｄによって上下に挟み付けられた状態になるとともに、このペーパーガイド６は支持突起２４ａ，２４ｂに案内されつつ、左右に延びる中心線Ｍ周りに一定角度だけ回動できるようになる。
【００３３】
押え蓋７は、図１２で示されるように、キャップ状に形成された本体部７０の外側に、孔部を有する一対の支持部７１が形成されたもので、本体部７０の内面側には、２つの突起７２が形成されている。この押え蓋７は、図２で示されるように、本体部７０をペーパーガイド６の円筒部６２ｂに嵌め込むとともに、支持部７１をホルダ本体２の支持突起２４ａ，２４ｂ上に重ねた後、支持部７１を支持突起２４側にねじで締め付けることにより、ホルダ本体２に取り付けられる。この場合、押え蓋７は、ペーパーガイド６の回動を案内するように、これに軽く当接するだけである。また、２本の突起７２は、図２０で示されるように、心棒５の支持突起５２に軽く当接し、心棒５のがたつきを防止する。なお、突起７２の一方は、第１円孤孔Ｋ２を通して、支持突起５２に当てられる。
【００３４】
ペーパーカッター８は、ペーパーロールＲからペーパーを切り取るものであり、図１０で示されるように、下部側にカット部８０が形成されているとともに、左右の両端側上部に支持部８１が形成されている。支持部８１の側面後端部には、ホルダ本体２の支持孔２１ｃ，２２ｃに回動自在に差し込まれる突起８２が形成され、この支持部８１の側面下端部には、ホルダ本体２の切欠部２１ｂ，２２ｂに嵌め込まれるガイド突起８３，８４が形成されている。そして、左側のガイド突起８４とホルダ本体２のバネ受２７ｄとには、カッターバネ９が取り付けられ、このカッターバネ９によって、カット部８０がペーパーロールＲ側に加圧される。
【００３５】
スライダー１０は、ホルダ本体２のガイドレール２５に沿って上下に移動するものであり、図１４で示されるように、上下に長い本体部１００の前側にレバー部１０１と板カム部１０２とが突出し、後側に逆Ｌ字状のアーム部１０３が突出している。本体部１００には、図１５で示されるように、裏側に、ガイドレール２５差し込み用の溝１００ａが形成され、この溝１００ａ内に、ガイドレール２５の突条２５ａ下面に当接する突起１００ｂが形成されている。また、本体部１００には、板カム部１０２の下端側に小溝１００ｃが形成されている。
【００３６】
レバー部１０１は、このトイレットペーパーホルダ１の操作部となるものであり、ケーシング３の細孔３０ｃから前方に突き出された前端部に、操作用のレバーキャップ１３がねじによって取り付けられる。板カム部１０２は、ペーパーカッター８のガイド突起８３とともに、このカット部８０の離間機構を構成するものであり、前端面が、最も前方に突出する垂直部１０２ａと、この垂直部１０２ａから本体部１００の小溝１００ｃ側に向かって傾斜する斜辺部１０２ｂとから構成されており、ペーパーカッター８のガイド突起８３が、図３で示されるように、この前端面にカッターバネ９を介して加圧される。アーム部１０３には、下端部に、ペーパーガイド６の支持突起６２ｅが差し込まれる前後に長い横孔１０３ａが形成されているとともに、裏面側には、スライダバネ１１用のバネ受け１０３ｂと、このスライダー１０の上下移動を規制するロック突起１０３ｃが形成されている。なお、支持突起６２ｅには、横孔１０３ａからの抜け出しを防止するために、固定ビス１８Ａがねじこまれる。
【００３７】
スライダバネ１１は、スライダー１０のバネ受け１０３ｂとホルダ本体２のバネ受２７ａ間に取り付けられ、スライダー１０を上方に引き上げるためのものである。
【００３８】
筒芯受け１２は、ホルダ本体２側から排出される使用済ペーパーロールＲ（筒芯Ｒ１）を受け取るものであり、図７で示されるように、上部に、ペーパーガイド６の支持部６０ａに着脱容易に取り付けられるフック部１２０が形成され、下部に芯受部１２１が形成されている。フック部１２０には、図１３で示されるように、内側に爪部１２０ａが突出しており、この爪部１２０ａがペーパーガイド６の支持部６０ａに形成された凹部Ｎに係合しているため、筒芯受け１２は、ペーパーガイド６と相対的に移動することなく、一体となって移動する。このため、筒芯受け１２は、ペーパーガイド６の予備ロール支持部６０が下方位置Ｂ２に達すると、図１９で示されるように、芯受部１２１を前方に突出させた斜めの状態に位置決めされる。
【００３９】
つぎに、このトイレットペーパーホルダ１の主要部の動作について、図１８と図１９とを参照しつつ説明する。
【００４０】
まず、図１８で示される状態について説明すると、スライダー１０は、ガイドレール２５に沿いつつ、スライダバネ１１によって上方に引き上げられ、支持突起６２ｅを介して、ペーパーガイド６の肩部６１が、ホルダ本体２の開口２８の上縁に突き当たることにより、非作動位置Ａ１に位置決めされている。この場合、ペーパーガイド６の予備ロール支持部６０は、上端部がカム部６２の上方に延びた位置（以下、予備ロール支持部６０のこの位置を上方位置Ｂ１という）に位置決めされ、一対の心棒５は支持部５０をホルダ本体２内方に突出させた水平な状態で位置決めされている。また、筒芯受け１２は受け部１２１を下部側に配置した状態で位置決めされている。
【００４１】
以上の状態で、図４で示されるように、ホルダ本体２の左及び右側壁部２１，２２の内面側には、ペーパーガイド６の予備ロール支持部６０の上方に、予備ロール収納空間Ｖ２が形成され、ここに予備のペーパーロールＲが収納されているとともに、予備ロール支持部６０の下方に、ペーパーロールＲの使用空間Ｖ３が形成され、ここにペーパーロールＲが使用可の状態で保持されている。この使用可の状態のペーパーロールＲは、筒芯Ｒ１の左右両側に心棒５の支持部５０が差し込まれ、この心棒５によって回動自在に支持されている。また、この使用可の状態のペーパーロールＲには、ペーパーカッター８のカット部８０がカッターバネ９によって加圧されている。
【００４２】
なお、説明の都合上、予備ロール空間Ｖ２にあるペーパーロールＲを予備位置Ｃ１にあると呼び、使用空間Ｖ３にあるペーパーロールＲを使用位置Ｃ２にあると呼ぶ。
【００４３】
つぎに使用可の状態のペーパーロールＲを使い尽くして、これが筒芯Ｒ１のみになった（図１８の状態）場合について説明する。この場合、図１９で示されるように、レバー部１０１をスライダバネ１１の弾性力に抗しつつ下方に押し下げ、スライダー１０をガイドレール２５に沿って最も低い作動位置Ａ２（支持突起２４ａ，２４ｂがペーパーガイド６の円弧孔Ｋ３や凹状部Ｋ４の端部に突き当たる位置）まで下降させる。
【００４４】
このことにより、スライダー１０の板カム部１０２が下降し、この板カム部１０２の端面に沿ってペーパーカッター８のガイド突起８３がカッターバネ９の弾性力に抗しつつ前方に移動するため、ペーパーカッター８は、カット部８０が心棒５側から引き離されて、略垂直な状態に位置決めされる。また、スライダー１０の下降により、ペーパーガイド６が中心線Ｍを中心に回動され、予備ロール支持部６０の下端側が心棒５の直下の位置（以下、予備ロール支持部６０のこの位置を下方位置Ｂ２という）まで達する。このため、心棒５は、ペーパーガイド６のカム部６２の作用により、支持部５０がホルダ本体２の開口２１ｄ，２２ｄ内に移動するとともに、筒芯受け１２は、芯受部１２１を前方に突出させた斜めの状態に位置決めされる。
【００４５】
したがって、まず、心棒５に支持されていた空の筒芯Ｒ１が下方に落下し、筒芯受け１２上を転がって、芯受部１２１中に位置決めされるとともに、予備のペーパーロールＲが予備位置Ｃ１から使用位置Ｃ２まで落とし込まれて、予備ロール支持部６０上に再び支持される。なお、ペーパーガイド６の予備ロール支持部６０は、予備のペーパーロールＲを避けるように回動するため、この予備ロール支持部６０と予備のペーパーロールＲとが干渉してしまうことはない。
【００４６】
つぎに、スライダー１０のレバーキャップ１３から手を離すと、スライダー１０はスライダバネ１１の作用により、非作動位置Ａ１まで上昇する（図１８の状態）。このことにより、ペーパーガイド６は予備ロール支持部６０が上方位置Ｂ１に達するまで逆方向に回動するとともに、筒芯受け１２は芯受部１２１が下向きになる状態まで移動する。
【００４７】
このことにより、使用位置Ｃ２に位置決めされていたペーパーロールＲの筒芯Ｒ１内に、ペーパーガイド６のカム部６２の作用で、心棒５の支持部５０が差し込まれ、このペーパーロールＲが心棒５により回動自在に支持されるとともに、上方位置Ｂ１に移動したペーパーガイド６の予備ロール支持部６０上には、他の予備用ペーパーロールＲが支持できるようになる。一方、スライダー１０の上昇により、ペーパーカッター８は、ガイド突起８３が板カム部１０２の端面に沿って移動するが、これが斜辺部１０２ｂの所定位置に達した位置で、カット部８０がペーパーロールＲに突き当たることにより、位置決めされる。そして、この状態で、使用位置Ｃ２にあるペーパーロールＲは使用可の状態となる。
【００４８】
なお、開閉蓋４を開けることにより、予備ロール空間Ｖ２中には新たな予備のペーパーロールＲが収納できるとともに、筒芯受け１２からは、筒芯Ｒ１を簡単に除去することができる。
【００４９】
ここで、ペーパーガイド６のカム部６２と心棒５の第１及び第２カム面Ｓ１，Ｓ２との作用を説明する。
【００５０】
まず、図２０で示されるように、ペーパーガイド６の予備ロール支持部６０が上方位置Ｂ１にある場合には、図２３の（ａ）、（ｂ）で示されるように、ペーパーガイド６の第１カム６２ｃが心棒５の円柱部５１ｃ上の第２カム面Ｓ２上にあり、ペーパーガイド６の第２カム６２ｄが心棒５の従動部５１側下方の第１カム面Ｓ１近傍にある。この場合、心棒５には、支持突起５２を中心として、自重により支持部５０側が下方に回動するようなモーメントが作用するため、この心棒５は、第１カム６２ｃにより、自重による回動が規制され、支持部５０がホルダ本体２内に突出した水平な状態に位置決めされる。
【００５１】
つぎに、図２１で示されるように、ペーパーガイド６が中心線Ｍを中心にある程度回動すると、図２３の（ｃ）、（ｄ）で示されるように、第１カム６２ｃが上昇して、第２カム面Ｓ２の円柱部５１ｃの球面側に逃げるとともに、第２カム６２ｄが第１カム面Ｓ１上を摺動しつつ上昇して、この第１カム面Ｓ１を上方に押し上げる。このため、心棒５の支持部５０は所定角度だけ下向きに回動して、斜めの状態となる。この場合、心棒５の自重によるモーメントによっても、上記の状態が促進される。
【００５２】
つぎに、図２２で示されるように、ペーパーガイド６の予備ロール支持部６０が下方位置Ｂ２まで下降すると、図２３の（ｅ）、（ｆ）で示されるように、第１カム６２ｃは端部が更に上昇して、第２カム面Ｓ２の右壁部５１ｂ端部側に逃げるとともに、第２カム６２ｄが第１カム面Ｓ１上を摺動しつつ上昇して、この第１カム面Ｓ１を更に上方に押し上げる。このため、心棒５の支持部５０は、略垂直な状態となって、ホルダ本体２の開口２２ｄ内に没した状態となる。なお、この場合においても、自重によるモーメントが上記の状態を促進する。
【００５３】
つぎに、ペーパーガイド６の予備ロール支持部６０が下方位置Ｂ２から上方位置Ｂ１まで回動する場合には、第１カム６２ｃが下降するとともに、第２カム６２ｄが下方に逃げるため、心棒５の支持部５０は垂直な状態から水平な状態に移動され、ホルダ本体２の内方に突き出すようになる。
【００５４】
以上のように、このトイレットペーパーホルダ１では、ペーパーガイド６の第１及び第２カム６２ｃ，６２ｄを心棒５の第１及び第２カム面Ｓ１，Ｓ２に摺動させることにより、心棒５を滑らかな動きで回動させているため、この心棒５の支持部５０を小さな力でペーパーロールＲの筒芯Ｒ１の内外に移動させることができる。このため、ペーパーガイド６を介して、スライダー１０が比較的小さな力で上下動できるため、スライダー１０のレバー部１０１の操作を小さな力でなすことができる。一方、スライダー１０が比較的小さな力で上下動できるため、その分、スライダー１０を上昇させるスライダバネ１１のバネ力も小さなものとすることができ、この実施の形態のように、スライダバネ１１の弾性力に抗しつつレバー部１０１を操作する場合には、さらにスライダバネ１１のバネ力が小さくなった分だけ、レバー部１０１の操作を小さな力でなすことができる。
【００５５】
なお、ペーパーガイド６の予備ロール支持部６０が上方位置Ｂ１にある場合、心棒５の回動を規制するペーパーガイド６の第１カム６２ｃと心棒５の第２カム面Ｓ２とが略水平な状態で接しているため（図２３の（ｂ）参照）、心棒５の支持部５０側にペーパーロールＲの重さが加わっても、この荷重はペーパーガイド６を回動させる向きには作用しない。したがって、予備ロール支持部６０が上方位置Ｂ１にある場合には、スライダバネ１１には、スライダー１０や筒芯受け１２の重量等を支えるだけのバネ力があればよく、この点でも、予備ロール支持部６０が下方位置Ｂ２に達した場合の、このスライダバネ１１のバネ力を減少させることができ、その分、レバー部１０１に加える力を減少できる。
【００５６】
また、このトイレットペーパーホルダ１では、ペーパーガイド６に上方位置Ｂ１と下方位置Ｂ２とに往復動する予備ロール支持部６０を形成しているので、心棒５の支持部５０がペーパーロールＲの筒芯Ｒ１外に移動している場合に、使用位置Ｃ２側に移動した予備のペーパーロールＲを、この予備ロール支持部６０によって簡単に仮保持することができる。この場合、上方位置Ｂ１にある予備ロール支持部６０が、予備のペーパーロールＲの収納台を兼ねており、この予備ロール支持部６０が上方位置Ｂ１から下方位置Ｂ２に移動する場合に、予備のペーパーロールＲが下方に落とし込まれるので、予備のペーパーロールＲの収納と下方位置Ｃ２への移動（落下）を、この予備ロール支持部６０によって、簡単かつタイミングよく行なうことができる。
【００５７】
さらに、このトイレットペーパーホルダ１では、心棒５の従動部５１の下面側と上面側とに、それぞれ第１カム面Ｓ１と第２カム面Ｓ２とを形成し、ペーパーガイド６の第１カム６２ｃと第２カム６２ｄとでこの従動部５１を挟み付けるようにしているため、カム機構を使用した場合でも、心棒５を確実に回動させることができる。したがって、心棒５の支持突起５２周りにごみ等が噛み込んでも、支持部５０をペーパーロールＲの筒芯Ｒ１の内外に確実に移動でき、かつ、心棒５をカムの無い側に不安定に回動させてしまうこともない。
【００５８】
また、このトイレットペーパーホルダ１では、予備のペーパーロールＲを予備位置Ｃ１から使用位置Ｃ２に落下させる場合に、このペーパーロールＲの落下の邪魔にならないように、ペーパーカッター８のカット部８０を心棒５（ペーパーロールＲ）側から引き離す離間機構を有しているため、カット部８０をペーパーロールＲ側に加圧するカッターバネ９のバネ力を充分に大きくすることができる。このため、ペーパーカッター８を押さえずに、片手でぺーパーをカットしても、ペーパーカッター８にがたつきが生じないようにすることができ、ペーパーの片手カットができるようになる。
【００５９】
さらに、このトイレットペーパーホルダ１では、筒芯受け１２をペーパーガイド６の回動に伴なって前方に移動させることにより、この筒芯受け１２で、落下してくる筒芯Ｒ１をキャッチするようにしているので、筒芯Ｒ１をキャッチする必要のないペーパーガイド６の回動前、すなわち、レバーキャップ１３の操作前には、この筒芯受け１２を、ペーパーロールＲの使用の邪魔にならない、トイレットペーパーホルダ１の取り付け面側に位置決めしておくことができる。なお、この場合、筒芯受け１２は、ペーパーガイド６に対して、相対的に移動（回動）するものであってもよい。
【００６０】
また、このトイレットペーパーホルダ１では、筒芯受け１２がペーパーガイド６の下端側にこのペーパーガイド６と相対移動しないように取り付けられていて、筒芯Ｒ１をキャッチする場合に、芯受部１２１を前方に突出させた斜めの状態に位置決めされるため、筒芯Ｒ１の落下位置に狂いが生じたり、筒芯Ｒ１がやや前方に向かうよう斜めに落下しても、この筒芯受け１２により、筒芯Ｒ１を確実にキャッチすることができる。このため、筒芯受け１２の芯受部１２１側を大きくする必要がなく、筒芯受け１２の小型化をも図ることができる。また、筒芯受け１２がペーパーガイド６の回動時にがたつき、これがトイレットペーパーホルダ１の取り付け面側に当ってしまうこともない。もちろん、筒芯受け１２は、ペーパーガイド６に着脱容易に取り付けられるため、不要の場合には、取り外しておけばよい。
【００６１】
なお、このトイレットペーパーホルダ１では、上方位置Ｂ１にあるペーパーガイド６の予備ロール支持部６０に、予備のペーパーロールＲの収納台としての機能を持たせたが、この収納台を別に設け、予備ロール支持部６０が下方位置Ｂ２に移動するタイミングに合わせて、この収納台から予備のペーパーロールＲを使用位置Ｃ２側に落下させるようにしてもよい。この場合、この収納台上には多数のペーパーロールを収納できる。
【００６２】
つぎに、このトイレットペーパーホルダ１のロック機構について説明する。このロック機構は、開閉蓋４が開いている場合には、レバー部１０１を介してスライダー１０の上下動ができるが、開閉蓋４が閉じている場合には、ペーパーカッター８のカット部８０がペーパーロールＲの筒芯Ｒ１側に充分に移動している場合でなければ、レバー部１０１を介してスライダー１０の上下動ができないようにしたものである。
【００６３】
このロック機構は、第１及び第２ロックバー１４，１５と、第１及び第２ロックバネ１６，１７と、開閉蓋４の突起４１と、スライダー１０のロック突起１０３ｃ等とから構成される。
【００６４】
第１ロックバー１４は、図１６で示されるように、支持部１４０を中心として、上アーム部１４１と下アーム部１４２とが一直線状に延びるように形成されたもので、支持部１４０がホルダ本体２の台座部２６ａに固定ビス１８Ｂを介して回動自在に取り付けられる。上アーム部１４１の上端には、ホルダ本体２の第２ロック孔２２ｆに差し込まれる突起１４１ａが形成され、下アーム部１４２の下端には、第２ロックバー１５のガイド孔１５３ａ（後述）に差し込まれる突起１４２ａが形成されている。また、下アーム部１４２には、バネ受け１４２ｂが形成され、第１ロックバー１４は、このバネ受け１４２ｂとホルダ本体２のバネ受け２７ｂとに取り付けられる第１ロックバネ１６によって、図１８中、固定ビス１８Ｂを中心として反時計回り方向に加圧付勢されている。
【００６５】
第２ロックバー１５は、図１７で示されるように、上下方向に延びる本体部１５０の下端に支持部１５１が形成され、右側面側にスライダー１０のロック突起１０３ｃに係脱するロック突起１５２が形成されている。また、この本体部１５０の後面側には、ガイド孔１５３ａを有する突起１５３とバネ受け１５４が形成されているとともに、本体部１５０の前面側には、ホルダ本体２の第１ロック孔２２ｅ内に延びるロッド部１５５が形成されている。この第２ロックバー１５は、支持部１５１がホルダ本体２の台座部２６ｂに、固定ビス１８Ｃを介して、回動自在に取り付けられている。そして、この第２ロックバー１５は、バネ受け１５４とホルダ本体２のバネ受け２７ｃとに取り付けられる第２ロックバネ１７によって、図１８中、固定ビス１８Ｃを中心として、反時計回り方向に加圧付勢されている。
【００６６】
つぎに、このロック機構の動作について説明する。
まず、図２４で示されるように、開閉蓋４が開いていて、開閉蓋４の突起４１が第１ロックバー１４の突起１４１ａから離間している場合について説明する。この場合、第１ロックバー１４が、第１ロックバネ１６の作用により固定ビス１８Ｂを中心に、反時計回り方向に加圧付勢されるため、第２ロックバー１５は、この第１ロックバー１４の突起１４２ａを介して、固定ビス１８Ｃを中心に時計回り方向に力を受ける。一方、第２ロックバー１５は、第２ロックバネ１７によって反時計回り方向に加圧付勢されるが、第１ロックバネ１６のバネ力が第２ロックバネ１７のバネ力より強いため、第２ロックバー１５は固定ビス１８Ｃを中心に僅かに時計回り方向に回動され、第２ロックバー１５のロック突起１５２がスライダー１０の裏面側に形成されたロック突起１０３ｃの直下から右側にずれた位置に位置決めされる。
【００６７】
このため、レバー部１０１を下方に押すことにより、スライダー１０を作動位置Ａ２まで下降でき、このトイレットペーパーホルダ１に対するペーパーロールＲ等のセット作業が可能となる。
【００６８】
つぎに、図２５で示されるように、開閉蓋４を閉じた場合について説明する。この場合、突起１４１ａが突起４１によって押されるため、第１ロックバー１４は第１ロックバネ１６の弾性力に抗しつつ、時計回り方向に僅かに回動される。このため、第２ロックバー１５も、第２ロックバネ１７の作用により、固定ビス１８Ｃを中心に、突起１４２ａがガイド孔１５３ａの縁部に当たるまで、反時計回り方向に回動する。このことにより、第２ロックバー１５のロック突起１５２がスライダー１０のロック突起１０３ｃの直下に位置決めされ、レバー部１０１を下方に押しても、ロック突起１０３ｃがロック突起１５２に当たって、スライダー１０は下降できず、このトイレットペーパーホルダ１に対するペーパーロールＲ等のセット作業はできないこととなる。
【００６９】
一方、図２６で示されるように、開閉蓋４は閉じているが、使用中のペーパーロールＲが、略筒芯Ｒ１のみになった場合について説明する。この場合、ペーパーカッター８の支持部８１が、カッターバネ９の作用により、第２ロックバー１５のロッド部１５５を右方に押すため、第２ロックバー１５は、第２ロックバネ１７の弾性力に抗しつつ僅かに時計回り方向に回動し、ロック突起１５２がロック突起１０３ｃの位置からずれる。このため、レバー部１０１によりスライダー１０を作動位置Ａ２まで下降させることができ、このトイレットペーパーホルダ１に対するペーパーロールＲ等のセット作業が可能となる。
【００７０】
なお、図１９で示されるように、スライダー１０を下方の作動位置Ａ２に移動させた場合、スライダー１０のロック突起１５２は、第２ロックバー１５のロック突起１０３ｃの直下に位置決めされるが、ロック突起１５２の上端とロック突起１０３ｃの下端とが傾斜面によって逃げているため、その後、レバーキャップ１３から手を離すことにより、スライダー１０は非作動位置Ａ１に復帰できる。
【００７１】
以上のように、このトイレットペーパーホルダ１では、不要な場合にスライダー１０を下降できないようにしているため、未だ充分にペーパーの残った使用中のペーパーロールＲを排出してしまうことがないとともに、開閉蓋４さえ開けてやればいつでもペーパーロールＲのセットができるため、使用の容易化を図ることができる。なお、開閉蓋４をキーの使用によって開閉できるようにすれば、不必要に開閉蓋４を開けて、スライダー１０を上下動させることもなくなる。
【００７２】
【発明の効果】
この発明は、以下に記載されるような効果を奏する。
【００７３】
この発明の請求項１記載の発明によれば、操作部の操作によって、心棒の支持部をペーパーロールの筒芯の内外に移動させる場合に、操作部によって心棒を滑らかに回動でき、この操作部に加える力を充分に軽減することができるとともに、心棒の支持部がペーパーロールの筒芯外方に移動している場合に、心棒側に移動した予備のペーパーロールをこの予備ロール支持部により簡単に仮保持することができる。また、この発明によれば、ペーパーカッターのカット部をペーパーロール側に充分に加圧でき、片手でペーパーカッタを押さえる必要がなくなって、ペーパーの片手カットができるようになる。
【００７４】
この発明の請求項２記載の発明によれば、予備のペーパーロールの収納と使用位置側への落下を、この予備ロール支持部によって簡単になすことができる。
【００７５】
この発明の請求項３記載の発明によれば、操作部の操作によって、心棒の支持部をペーパーロールの筒芯の内外に移動させる場合に、操作部によって心棒を滑らかに回動でき、この操作部に加える力を充分に軽減することができる。また、この発明によれば、筒芯受けによって使用済みのペーパーロールの処理が簡単にできるとともに、必要がない場合には、この筒芯受けを邪魔に成らない位置に位置決めしておくことができる。
【００７６】
この発明の請求項４記載の発明によれば、心棒の支持部をペーパーロールの筒芯内外に確実に移動させることができる。
【図面の簡単な説明】
【図１】この発明の一実施の形態に係るトイレットペーパーホルダの外観斜視図である。
【図２】ケーシング等を外した状態における、このトイレットペーパーホルダの内部の右側斜視図である。
【図３】ケーシング等を外した状態における、このトイレットペーパーホルダの内部の左側斜視図である。
【図４】このトイレットペーパーホルダの断面図である。
【図５】ホルダ本体にロック機構、ペーパーガイド、心棒等を取り付けた状態の外観斜視図である。
【図６】ホルダ本体の外観斜視図である。
【図７】ケーシング、開閉蓋及び筒芯受けの外観斜視図である。
【図８】心棒の表側の外観斜視図である。
【図９】心棒の裏側の外観斜視図である。
【図１０】ペーパーカッターの外観斜視図である。
【図１１】ペーパーガイドの外観斜視図である。
【図１２】押さえ蓋の内面側の外観斜視図である。
【図１３】筒芯受けの取付部の状態を示す断面図である。
【図１４】スライダーの表側の外観斜視図である。
【図１５】スライダーの裏側の外観斜視図である。
【図１６】第１ロックバーの外観斜視図である。
【図１７】第２ロックバーの外観斜視図である。
【図１８】主要部品の配置を示す図である。
【図１９】主要部品の作用説明図である。
【図２０】ペーパーガイドの第１の作用説明図である。
【図２１】ペーパーガイドの第２の作用説明図である。
【図２２】ペーパーガイドの第３の作用説明図である。
【図２３】心棒の作用説明図である。
【図２４】ロック機構の部品の配置を示す図である。
【図２５】ロック機構の第１の作用説明図である。
【図２６】ロック機構の第２の作用説明図である。
【図２７】従来のトイレットペーパーホルダの主要部を示す図である。
【図２８】このトイレットペーパーホルダの作用説明図である。
【図２９】このトイレットペーパーホルダの心棒の支持状況を示す図である。
【符号の説明】
５    心棒
６    ペーパーガイド
８    ペーパーカッター
１２    筒芯受け
５０    支持部
５１    従動部
６０    予備ロール支持部
６２    カム部
６２ｃ  第１カム
６２ｄ  第２カム
８３    ガイド突起（離間機構）
１０２    カム板１０２（離間機構）
１２１    芯受部
１０１    レバー部（操作部）
Ｂ１    上方位置
Ｂ２    下方位置
Ｍ      中心線
Ｒ      ペーパーロール
Ｒ１    筒芯
Ｓ１    第１カム面（カム面）
Ｓ２    第２カム面（カム面）
【図１】
0003608328.tif 000002
【図２】
0003608328.tif 000003
【図３】
0003608328.tif 000004
【図４】
0003608328.tif 000005
【図５】
0003608328.tif 000006
【図６】
0003608328.tif 000007
【図７】
0003608328.tif 000008
【図８】
0003608328.tif 000009
【図９】
0003608328.tif 000010
【図１０】
0003608328.tif 000011
【図１１】
0003608328.tif 000012
【図１２】
0003608328.tif 000013
【図１３】
0003608328.tif 000014
【図１４】
0003608328.tif 000015
【図１５】
0003608328.tif 000016
【図１６】
0003608328.tif 000017
【図１７】
0003608328.tif 000018
【図１８】
0003608328.tif 000019
【図１９】
0003608328.tif 000020
【図２０】
0003608328.tif 000021
【図２１】
0003608328.tif 000022
【図２２】
0003608328.tif 000023
【図２３】
0003608328.tif 000024
【図２４】
0003608328.tif 000025
【図２５】
0003608328.tif 000026
【図２６】
0003608328.tif 000027
【図２７】
0003608328.tif 000028
【図２８】
0003608328.tif 000029
【図２９】
0003608328.tif 000030